(57)【特許請求の範囲】
【請求項１】
第１のＬＡＮと通信回線との間に挿入され、この通信回線を介して第２のＬＡＮとの間の通信を、設定された通信動作条件に基づいて制御するリモートアクセスルータであって、
操作キーおよび表示器を備える操作パネルと、
通信動作条件設定用端末を収容可能なダムターミナル制御部と、
設定された通信動作条件を記憶する記憶装置と、
該記憶装置に記憶されている通信動作条件に基づいてＬＡＮ通信を制御する通信制御装置とを具備したリモートアクセスルータにおいて、
前記通信動作条件は、前記ダムターミナル制御部に接続された通信動作条件設定用端末のみから設定可能な第１の通信動作条件と、前記通信動作条件設定用端末及び前記操作パネルの両方から設定可能な、少なくとも前記通信回線の種別、前記第１のＬＡＮ側ＩＰアドレス、前記第１のＬＡＮ側サブネットマスク、前記通信回線側ＩＰアドレス、及び前記通信回線側サブネットマスクを含む第２の通信動作条件とにより構成し、
前記通信動作条件設定用端末から設定された前記第１の通信動作条件及び前記第２通信動作条件を前記記憶装置へ記憶させる第１の設定手段と、
前記表示器の表示状態と前記操作キーの操作との組合わせに基づき前記操作パネルにより設定された前記第２の通信動作条件を前記記憶装置へ記憶させる第２の設定手段と、
を具備したことを特徴とするリモートアクセスルータ。
【請求項２】
前記操作パネルによる第２の通信動作条件の設定は、前記通信回線の種別、前記第１のＬＡＮ側ＩＰアドレス、前記第１のＬＡＮ側サブネットマスク、前記通信回線側ＩＰアドレス、及び前記通信回線側サブネットマスクの設定画面を順次に表示させながら行うことを特徴とする請求項１記載のリモートアクセスルータ。
【請求項３】
前記通信動作条件設定用端末から前記通信動作条件の設定を行った場合は、操作パネルから前記第２の通信動作条件の設定が行えない状態にすることを特徴とする請求項１又は請求項２記載のリモートアクセスルータ。
【請求項４】
前記第２の通信動作条件には、リモートアクセスルータの動作モードを設定する条件が含まれており、
前記表示器へのリモートアクセスルータの動作モード設定画面の表示と、前記操作キーの操作との組み合わせに基づき、前記表示パネルより前記動作モードを第１の動作モード若しくは第２の動作モードに設定することを特徴とする請求項１又は請求項２記載のリモートアクセスルータ。
【発明の詳細な説明】
【０００１】
【発明の属する技術分野】
本発明は、ＬＡＮ（ローカル・エリア・ネットワーク）と通信ネットワークまたは通信回線を介して接続される遠隔地ＬＡＮとの間の通信を制御するリモートアクセスルータに関する。
【０００２】
【従来の技術】
リモートアクセスルータにおける通信条件の設定は、図５の通信条件設定内容構成図に示すようにシステム情報、ＷＡＮ側ポート情報（ＩＳＤＮ情報、ＰＰＰ情報）、ＬＡＮ側ポート情報（ルーティング情報、フィルタリング情報）等を含む数十項目以上に対して行なう必要があり、複雑で専門知識を要している。そして、この設定は、リモートアクセスルータに、情報の処理能力を持たない、いわゆるダムターミナルを接続し、専門知識を有するシステム管理者がダムターミナルのキー操作により、ダムターミナルの表示器に設定内容を表示させ、それら設定項目に対する設定や疎通確認の起動、障害情報の参照などを行なう方法が取られていた。
【０００３】
【発明が解決しようとする課題】
ところで、近年、パーソナルコンピュータ（ＰＣ）及びインターネットが普及し、これらが一般家庭において使用されるようになり、また、スモールオフィス、ホームオフィス（ＳＯＨＯ）といったオフィス環境が進行していくことにより、小規模なＬＡＮ又は家庭内ＬＡＮといった簡単なネットワーク構成のＬＡＮを構築し、これにリモートアクセスルータを接続してインターネットに接続する使用形態が出現している。
【０００４】
しかしながら、従来はリモートアクセスルータの設置時に、必ずダムターミナルが必要であり、また、簡単なネットワーク構成で利用する場合であっても、ＬＡＮに関する専門知識を養いダムターミナルによって、リモートアクセスルータに通信条件を設定する必要があるため、小規模なＬＡＮ又は家庭内ＬＡＮを構築するために多大な労力を要していた。
【０００５】
本発明は、このような従来の課題を解決するためになされたものであり、リモートアクセスルータ自身に通信条件の設定や疎通確認の起動、障害情報の参照などを行なうための操作キーおよび表示器を備えることで、簡単なネットワーク構成にリモートアクセスルータを設置する場合には、ダムターミナルを使用することなく、それら通信条件の設定や疎通確認の起動、障害情報の参照などを行なえるようにすることを目的とする。
【０００６】
【課題を解決するための手段】
本発明は、第１のＬＡＮと通信回線との間に挿入され、この通信回線を介して第２のＬＡＮとの間の通信を、設定された通信動作条件に基づいて制御するリモートアクセスルータであって、操作キーおよび表示器を備える操作パネルと、通信動作条件設定用端末を収容可能なダムターミナル制御部と、設定された通信動作条件を記憶する記憶装置と、該記憶装置に記憶されている通信動作条件に基づいてＬＡＮ通信を制御する通信制御装置とを具備したリモートアクセスルータにおいて、前記通信動作条件は、前記ダムターミナル制御部に接続された通信動作条件設定用端末のみから設定可能な第１の通信動作条件と、前記通信動作条件設定用端末及び前記操作パネルの両方から設定可能な、少なくとも前記通信回線の種別、前記第１のＬＡＮ側ＩＰアドレス、前記第１のＬＡＮ側サブネットマスク、前記通信回線側ＩＰアドレス、及び前記通信回線側サブネットマスクを含む第２の通信動作条件とにより構成し、前記通信動作条件設定用端末から設定された前記第１の通信動作条件及び前記第２通信動作条件を前記記憶装置へ記憶させる第１の設定手段と、前記表示器の表示状態と前記操作キーの操作との組合わせに基づき前記操作パネルにより設定された前記第２の通信動作条件を前記記憶装置へ記憶させる第２の設定手段とを具備したことを特徴とする。
【０００７】
本発明によれば、リモートアクセスルータにおける通信条件の設定がリモートアクセスルータ自身に装備された操作キーおよび表示器によって行え、リモートアクセスルータの設置時にダムターミナルが不要となる。
【０００８】
【発明の実施の形態】
図１は、本発明によるリモートアクセスルータを用いたＬＡＮシステムのブロック構成図である。このＬＡＮシステムはＩＳＤＮ等の通信ネットワーク１に一方のリモートアクセスルータ２Ａが接続されており、またこのリモートアクセスルータ２Ａを介して一方のＬＡＮ３Ａが接続され、このＬＡＮ３Ａに複数のＬＡＮ端末４Ａが接続された構成となっている。
【０００９】
また、これと同様に、通信ネットワーク１に他方のリモートアクセスルータ２Ｂが接続されており、またこのリモートアクセスルータ２Ｂを介して他方のＬＡＮ３Ｂが接続され、このＬＡＮ３Ｂに複数のＬＡＮ端末４Ｂが接続された構成となっている。
【００１０】
そして、例えばリモートアクセスルータ２Ａは、通信ネットワーク１を介してリモートアクセスルータ２Ｂと通信路を設定してＬＡＮ端末４Ａから遠隔地にあるＬＡＮ端末４Ｂ間の通信を制御している。なお、リモートアクセスルータ２Ａ、２Ｂは、一般的にＬＡＮ３Ａ、３Ｂに接続された複数のＬＡＮ端末４Ａ、４Ｂから送信されたデータをどこに送信するかの経路選択を行うために、経路選択情報などの通信条件の設定を可能とするように構成されている。
【００１１】
図２は、本発明によるリモートアクセスルータ２Ａ、２Ｂのブロック構成図であり、ＬＡＮ３Ａ、３Ｂを介して通信を行うＬＡＮ制御部２１、リモートアクセスルータ２全体の制御を行う主制御部２２、リモートアクセスルータ２Ａ、２Ｂの制御プログラムを格納するプログラムメモリ２３、データをはじめ制御に必要な情報を一時的に記憶するワークメモリ２４、リモートアクセスルータ２Ａ、２Ｂの経路選択情報などの通信条件の設定などを行うダムターミナル５を制御するダムターミナル制御部２５、通信ネットワーク１への通信を制御する回線制御部２６、操作キーと表示器を制御するパネル制御部２７、及び、ダムターミナル５などから設定された通信条件を記憶する通信条件記憶部２８からなり、これらはバス２８を介して互いに接続されている。
【００１２】
図３は、パネル制御部２７と操作パネル２９との関係を示す機能ブロック図である。パネル制御部２７はバスインターフェイス３１、ＬＣＤ（液晶表示器）コントローラ３２、ＬＥＤ（発光ダイオード）ドライバ３３、キー割り込み回路３４を備える。操作パネル２９はＬＣＤ４１、発光ダイオード４２、キー４３を備える。
【００１３】
バスインターフェイス３１はバス２８から操作パネル２９のＬＣＤ４１への表示内容、ＬＥＤ４２の点灯情報を受け取り、ＬＣＤコントローラ３２およびＬＥＤドライバ３３を駆動してＬＣＤ４１およびＬＥＤ４２の制御を行う。
【００１４】
また、キー４３が押下されると、キー割り込み回路３４から主制御部２２に対してキー割り込みが発生する。主制御部２２はバスインターフェイス３１を介してキー割り込み回路３４からどのキーが押下されたかの情報を受け取る。
【００１５】
図４は、操作パネル２９の一例を示す表面図で、ＬＣＤ４１、ＬＥＤ４２、キー４３の配置例を示している。ＬＥＤ４２はＴｘ４２ａ、Ｒｘ４２ｂ、ＬＩＮＫ４２ｃ、ＷＡＮ４２ｄ、ＡＮＬＧ４２ｅからなる。また、キー４３はＭＯＤＥキー４３ａ、左方向カーソルキー４３ｂ、右方向カーソルキー４３ｃ、下方向カーソルキー４３ｄ、ＳＥＴキー４３ｅ、ＲＵＮキー４３ｆからなる。
【００１６】
図５は、本発明のリモートアクセスルータ２Ａ、２Ｂに設定される通信条件の概要を示す図であり、通信条件Ａ１００は、システム情報設定項目、ＷＡＮ側ポート設定項目、ＬＡＮ側ポート設定項目、及びその他の設定項目（図示せず）から構成されている。そして、システム情報設定項目はシステムの基本的情報を設定するシステム情報設定Ａ２００を設定するものであり、ＷＡＮ側ポート設定項目は、ＩＳＤＮ情報設定Ａ３００及びＰＰＰ（ポイント・トゥー・ポイント・プロトコル）情報設定Ａ３０１を含む電話回線側の詳細情報を設定するものであり、同様に、ＬＡＮ側ポート情報設定、ＩＰルーティング情報Ａ４００及びＩＰフィルタリング情報Ａ４０１を含むＬＡＮ側の詳細情報を設定するものである。
【００１７】
なお、図５に図示しているシステム情報設定Ａ２００、ＩＳＤＮ情報設定Ａ３００、ＰＰＰ情報Ａ３０１、ＩＰルーティング情報Ａ４００、及びＩＰフィルタリング情報Ａ４０１は、リモートアクセスルータ２Ａ、２Ｂをインターネットプロトコル（ＩＰ）で使用する場合に、最小限必要な情報であり、以下、この具体的設定情報について説明する。
【００１８】
図６は、システム情報Ａ２００の設定内容を示す図であり、これは、ダムターミナル５に表示された状態を示している。図６において、「Ｎａｍｅ」、「Ｃｏｎｔａｃｔ」、及び「Ｌｏｃａｔｉｏｎ」は、装置名称、連絡先、装置の設置場所等を設定する領域、「Ｅｑｕｉｐｍｅｎｔ」６１は、装置の機能を設定する領域、「ＷＡＮ  Ｔｙｐｅ」６２は、電話回線側の種別を設定する領域、「ＬＡＮＩＰ  Ａｄｄｅｒｓｓ」６３は、ＬＡＮ側のＩＰアドレスを設定する領域、  「ＬＡＮ  Ｓｕｂｎｅｔ  Ｍａｓｋ」６４は、ＬＡＮ側のサブネットマスクを設定する領域、「ＷＡＮ  ＩＰ  Ａｄｄｅｒｓｓ」６５は、電話回線側のＩＰアドレスを設定する領域、「ＷＡＮ  Ｓｕｂｎｅｔ  Ｍａｓｋ」６６は、電話回線側のサブネットマスクを設定する領域である。
【００１９】
また、「ＴＥＬ」は、電話回線側がＩＳＤＮ回線交換のとき設定する領域であって、自装置の電話番号を設定する領域、「Ｓｕｂ  Ａｄｄｒｅｓｓ」は、電話回線側がＩＳＤＮ回線交換のとき設定する領域であって、自装置の電話番号のサブアドレスを設定する領域（サブアドレスが必要な場合に設定）、「Ｉｎａｃｔｉｖｉｔｙ  Ｗａｔｃｈ  Ｄｏｇ  Ｔｉｍｅｒ（Ｓｅｃ）」は、電話回線を接続している状態で、無通信時に電話回線を強制的に切断する機能を使用する場合に設定される領域であって、無通信状態を監視し、無通信状態になったときから電話回線を切断するまでのタイマ（無通信時間）の閾値を設定する領域、及び「Ｉｎｖａｌｉｄ  Ｏｂｓｅｒｖａｔｉｏｎ  Ｔｉｍｅｒ（Ｈｏｕｒ）」は、通信  （電話接続）が所定時間以上継続しているときに電話回線を強制的に切断する機能を使用する場合に設定される領域であって、長時間通信状態を監視し、電話回線を接続してから電話回線を切断するまでのタイマ（通信継続時間）の閾値を設定する領域である。
【００２０】
なお、図示している設定内容は、装置の通信条件記憶部２８に予め設定されているデフォルトの内容であり、この場合、装置の機能は「ＩＰルータ」、電話回線側の種別は「ＩＳＤＮ回線交換」、ＬＡＮ側のＩＰアドレスは「１９２．０．３．２００」、ＬＡＮ側のサブネットマスクは「２５５．２５５．２５５．０」、電話回線側のＩＰアドレスは「１９２．０．２．２００」、無通信時間の閾値は「１８０秒」、及び長時間通信監視時間は「１２時間」に設定されていることを示している。
【００２１】
図７は、ＩＳＤＮ情報Ａ３００の設定内容を示す図であり、これは、ダムターミナル５に表示された状態を示している。図７において、「ＩＳＤＮ」は回線交換等の通常のＩＳＤＮ接続を用いる際に使用する設定領域であり、また、「ＨＳＤ」はデジタル専用線接続する際に使用する設定領域である。「ＩＳＤＮ」設定領域において、「Ｃａｌｌ  ｔｙｐｅ」は、Ｂチャネルの加入形態を設定する領域、「ＴＥＩ」は、ＩＳＤＮ通信時に端末に割り当てられるＴＥＩ値を設定する領域、及び、「Ｓｐｅｅｄ（Ｋｂｐｓ）」は、回線速度を設定する領域である。
【００２２】
また、「ＨＳＤ」設定領域において、「Ｓｐｅｅｄ（Ｋｂｐｓ）」は、回線速度を設定する領域、及び「Ｃｈ  Ｓｅｌｅｃｔ」は、通信に使用するＢチャネルを設定する領域である。
【００２３】
なお、図示している設定内容は、装置の通信条件記憶部２８に予め設定されているデフォルトの内容であり、この場合、回線交換等の通常のＩＳＤＮ接続を用いる際には、Ｂチャネルの加入形態は「Ｇｅｎｅｒａｌ  Ｂｃｈ（任意クラス）」、ＴＥＩ値は「ＡＵＴＯ（自動設定）」、及び回線速度は「６４Ｋｂｐｓ」に設定されていることを示し、また、デジタル専用線接続を用いる際には、回線速度は「６４Ｋｂｐｓ」、及び通信に使用するＢチャネルは「Ｂ１ｃｈ」に設定されていることを示している。
【００２４】
図８は、ＰＰＰ情報Ａ３０１の設定内容を示す図であり、これは、ダムターミナル５に表示された状態を示している。図８において、「Ｓｏｕｒｃｅ  ＭＲＵ」は、ＰＰＰネゴシエーション情報の自装置が送信する最大ユニット長を設定する領域、「Ｄｅｓｔｉｎａｔｉｏｎ  ＭＲＵ（Ｍｉｎ）」は、ＰＰＰネゴシエーション情報の相手装置の最大受信ユニット長を設定する領域、「ＲｅｓｔａｒｔＴｉｍｅｒ（Ｓｅｃ）」は、ＰＰＰ制御情報の再送タイマを設定する領域、「ＭＡＸ  Ｔｅｒｍｉｎａｔｅ」は、Ｔｅｒｍｉｎａｔｅリクエストパケットのリトライ回数を設定する領域、「ＭＡＸ  Ｃｏｎｆｉｇｕｒｅ」は、Ｃｏｎｆｉｇｕｒｅリクエストパケットのリトライ回数を設定する領域、「ＭＡＸ  Ｆａｉｌｕｒｅ」は、否定パケット受信でのリトライ回数を設定する領域、「ＬＱＲ  ｎ」は、リンク品質判定の母数を設定する領域、「ＬＱＲ  ｋ」は、リンク品質判定の基準値を設定する領域、「Ａｕｔｈｅｎｔｉｃａｔｉｏｎ  Ｐｒｏｔｏｃｏｌ」の「Ｎａｍｅ」は、認証プロトコルを用いる際の自局の名称を設定する領域、及び「Ｐａｓｓｗｏｒｄ」は、自局のパスワードを設定する領域である。
【００２５】
なお、図示している設定内容は、装置の通信条件記憶部２８に予め設定されているデフォルトの内容であり、この場合、自装置が送信する最大ユニット長は  「１５００」、相手装置の最大受信ユニット長は「１５００」、再送タイマは  「３秒」、Ｔｅｒｍｉｎａｔｅリクエストパケットのリトライ回数は「２回」、Ｃｏｎｆｉｇｕｒｅリクエストパケットのリトライ回数は「１０回」、否定パケット受信でのリトライ回数は「１０回」、リンク品質判定の母数は「５」、及びリンク品質判定の基準値は「１」に設定されていることを示している。
【００２６】
図９は、ＩＰルーティング情報Ａ４００の設定内容を示す図であり、これは、ダムターミナル５に表示された状態を示している。図９において、このＩＰルーティング情報は複数個設定可能であり、各々のＩＰルーティング情報において、「Ｓｔａｔｕｓ」は、ルーティングテーブルの設定状態及びルーティング情報の有効又は無効を設定する領域、「Ｈｏｐ  Ｃｎｔ」は、相手ネットワークまでにあるルータの数を設定する領域、「Ｎｅｘｔ  Ｈｏｐ  ＩＰ」は、次に中継するルータのＩＰアドレスを設定する領域、「Ｄｅｓｔ．ＩＰ」は、宛先ＩＰアドレスを設定する領域、「ＴＥＬ」９１は、電話回線側がＩＳＤＮ回線交換のとき設定する領域であって、相手装置の電話番号を設定する領域、「Ｓｕｂ  Ａｄｄｒｅｓｓ」９２は、電話回線側がＩＳＤＮ回線交換のとき設定する領域であって、相手装置の電話番号のサブアドレスを設定する領域（サブアドレスが必要な場合に設定）、「Ａｕｔｈｅｎｔｉｃａｔｉｏｎ  Ｐｒｏｔｏｃｏｌ」は、電話回線側がＩＳＤＮ回線交換、デジタル専用線等のときの認証プロトコル相手局情報を設定する領域であって、認証プロトコルの有無及び種別を設定する領域、「Ｕｓｅｒ  Ｎａｍｅ」は、相手局の名称を設定する領域、並びに「Ｕｓｅｒ  Ｐａｓｓｗｏｒｄ」は、相手局のパスワードを設定する領域である。
【００２７】
なお、図示している設定内容は、装置の通信条件記憶部２８に予め設定されているデフォルトの内容であり、この場合、ルーティングテーブルの設定状態は  「ＩＰルーティング情報有効」、相手ネットワークまでにあるルータの数は「２」、宛先ＩＰアドレスは全てのＩＰアドレスを通過させることを意味する「０．０．０．０」、認証プロトコル相手局情報は「Ｎｏｎｅ（認証しない）」が設定されていることを示している。
【００２８】
図１０は、ＩＰフィルタリング情報Ａ４０１の設定内容を示す図であり、これは、ダムターミナル５に表示された状態を示している。図１０において、このＩＰフィルタリング情報は複数個設定可能であり、各々のＩＰフィルタリング情報において、「Ｉｔｅｍ」は、フィルタリングの有無及びフィルタリング項目を設定する領域、「Ｐｏｒｔ  Ｎｏ」は、フィルタリング項目がポート番号の場合に設定する領域であって、フィルタリングするポート番号を設定する領域、「Ｐｒｏｔｏｃｏｌ」は、フィルタリング項目がプロトコルの場合に設定する領域であって、フィルタリングするプロトコルの番号を設定する領域、「Ｓｏｕｒｃｅ  Ｍａｔｃｈ  ＩＰ」、「Ｓｏｕｒｃｅ  Ｍａｓｋ」、「Ｄｅｓｔ．ＩＰ」、及び「Ｄｅｓｔ．Ｍａｓｋ」は、フィルタリング項目がＩＰアドレスの場合に設定する領域であって、これらは順に、フィルタリングする送信元ＩＰアドレス、フィルタリングする送信元ＩＰアドレスのマスク値、フィルタリングする送信先ＩＰアドレス、及びフィルタリングする送信先ＩＰアドレスのマスク値を設定する領域であり、更に「Ｅｆｆｅｃｔ」は、フィルタリング動作の内容（フィルタリング又は中継）を設定する領域である。
【００２９】
なお、図示している設定内容は、装置の通信条件記憶部２８に予め設定されているデフォルトの内容であり、この場合、全くフィルタリングしない状態に設定されていることを示している。
【００３０】
図５に示す通信条件は、以上のような設定項目であるが、これは、最低限必要な一部を示しているにすぎない。他の詳細な設定項目は、ルータにおいて周知技術であるので、ここでは、それらの説明を省略する。また、これら各設定項目によって設定された内容は、図２に示す通信条件記憶部２８の各設定項目に対応する領域に記憶され、ＬＡＮ及びＷＡＮ通信の際にこれらが参照されて、所望のルーティング及び接続動作が行なわれる。
【００３１】
次に、図１１〜図２０に示すフローチャート図、及び図２１に示す動作説明図を参照しながら、リモートアクセスルータのパネル操作による通信条件の設定方法およびその表示例、疎通確認の起動や障害情報の参照などの保守方法およびその表示例について説明する。
【００３２】
図６〜図１０により、通常、ダムターミナル５で設定する通信条件を説明したが、本発明のリモートアクセスルータ２Ａ、２Ｂにおいては、この内、リモートアクセスルータ２Ａ、２Ｂを動作させるために最低限必要な通信条件である、図６に示す「Ｅｑｕｉｐｍｅｎｔ」６１、「ＷＡＮ  Ｔｙｐｅ」６２、「ＬＡＮ  ＩＰ  Ａｄｄｅｒｓｓ」６３、「ＬＡＮ  Ｓｕｂｎｅｔ  Ｍａｓｋ」６４、「ＷＡＮ  ＩＰ  Ａｄｄｅｒｓｓ」６５、及び「ＷＡＮ  Ｓｕｂｎｅｔ  Ｍａｓｋ」６６と、図７に示すＩＳＤＮ用の「Ｓｐｅｅｄ（Ｋｂｐｓ）」７１、及びＨＳＤ用の「Ｓｐｅｅｄ（Ｋｂｐｓ）」７２と、図９に示す「ＴＥＬ」９１、及び「Ｓｕｂ  Ａｄｄｒｅｓｓ」９２とが操作パネル２９から設定できるよう構成されている。
【００３３】
図１１は、リモートアクセスルータ２Ａ、２Ｂの操作パネル２９の操作によるモード切り替え方法とそのときのＬＣＤ４１の表示例を示すフローチャート図である。リモートアクセスルータ２Ａ、２Ｂは通常はＬＣＤ４１に動作状態画面を表示している（ステップＳ１）。
【００３４】
この状態でＭＯＤＥキー４３ａを押すと（ステップＳ２）、通信条件の設定画面がＬＣＤ４１に表示される（ステップＳ３）。さらにＭＯＤＥキー４３ａを押すと（ステップＳ４）、保守画面がＬＣＤ４１に表示される（ステップＳ５）。さらにＭＯＤＥキー４３ａを押すと（ステップＳ６）、もとの動作状態画面がＬＣＤ４１に表示される（ステップＳ１）。
【００３５】
図１２及び図１３は、リモートアクセスルータ２Ａ、２Ｂの操作パネル２９の操作による通信条件の設定項目の切り替え方法とそのときのＬＣＤ４１の表示例を示すフローチャート図である。
【００３６】
まず、前述したステップＳ３（図１１）で通信条件設定画面が表示されているときに、ＳＥＴキー４３ｅを押すと（ステップＳ１１）、図６に示す「ＷＡＮ  Ｔｙｐｅ」６２の設定項目に対応する回線種別選択画面がＬＣＤ４１に表示される（ステップＳ１２）。さらにＳＥＴキー４３ｅを押すと（ステップＳ１３）、図６に示す「Ｅｑｉｐｍｅｎｔ」６１の設定項目に対応する動作モード選択画面がＬＣＤ４１に表示され（ステップＳ１４）、さらにＳＥＴキー４３ｅを押すと（ステップＳ１５）、図６に示す「ＬＡＮ  ＩＰ  Ａｄｄｒｅｓｓ」６３の設定項目に対応するＬＡＮ側ＩＰアドレス入力画面がＬＣＤ４１に表示され（ステップＳ１６）、さらにＳＥＴキー４３ｅを押すと（ステップＳ１７）、図６に示す「ＬＡＮ  Ｓｕｂｎｅｔ  Ｍａｓｋ」６４の設定項目に対応するＬＡＮ側ＩＰマスク入力画面がＬＣＤ４１に表示される（ステップＳ１８）。また、ＳＥＴキー４３ｅを押すと（ステップＳ１９）、図６に示す「ＷＡＮ  ＩＰ  Ａｄｄｒｅｓｓ」６５の設定項目に対応するＷＡＮ側ＩＰアドレス画面がＬＣＤ４１に表示され（ステップＳ２０）、さらにＳＥＴキー４３ｅを押すと（ステップＳ２１）、図６に示す「ＷＡＮ  Ｓｕｂｎｅｔ  Ｍａｓｋ」６６の設定項目に対応するＷＡＮ側ＩＰマスク入力画面がＬＣＤ４１に表示され（ステップＳ２２）、さらにＳＥＴキー４３ｅを押すと（ステップＳ２３）、図９に示す「ＴＥＬ」９１の設定項目に対応する宛先電話番号入力画面がＬＣＤ４１に表示される（ステップＳ２４）。
【００３７】
このように、ＳＥＴキー４３ｅを押す度に、設定画面が切り替え表示され、さらにＳＥＴキー４３ｅを押すと（ステップＳ２５）、最後に、図９に示す「Ｓｕｂ  Ａｄｄｒｅｓｓ」９２の設定項目に対応するサブアドレス入力画面（最終条件画面）を表示し（ステップＳ２６）、ＳＥＴキー４３ｅを押すと（ステップＳ２７）、設定終了のメッセージが通信条件設定終了画面として表示され（ステップＳ２８）、その後に再び動作状態画面に戻る（ステップＳ１）。
【００３８】
なお、宛先電話番号入力画面と、サブアドレス入力画面は、電話回線側の回線種別がＩＳＤＮ回線交換に設定したときに表示され、これを設定可能にしているものであり、電話回線側の回線種別がフレームリレーに設定されているときは、データリンクコネクション識別子と認定情報速度とを設定する入力画面が表示され、これらが設定可能になる。また、電話回線側の回線種別がデジタル専用線  （ＨＳＤ）などに設定されており、宛先電話番号、サブアドレス、データリンクコネクション識別子、及び認定情報速度などの電話回線側の通信条件を設定する必要がないものは、このような表示がされないように構成されている。
【００３９】
図１４は、リモートアクセスルータ２Ａ、２Ｂの操作パネル２９の操作による通信条件の設定で、回線種別の選択方法とそのときのＬＣＤ４１の表示例を示すフローチャート図である。まず、前述したステップＳ１２（図１２）で回線種別選択画面（選択項目１）が表示されているときに、下方向カーソルキー４３ｄを押すと（ステップＳ３１）、他の回線種別選択画面（選択項目２）を表示する  （ステップＳ３２）。
【００４０】
以下、同様にして下方向カーソルキー４３ｄを押す毎に他の回線種別の選択画面が表示される（ステップＳ３３〜Ｓ３９）。最終選択項目の回線種別選択画面が表示されているときに（ステップＳ４０）、下方向カーソルキー４３ｄを押すと（ステップＳ４１）、もとに戻って再びＬＣＤ４１に回線種別選択画面（選択項目１）が表示される（ステップＳ１２）。
【００４１】
このようにして、図６に示す「ＷＡＮ  Ｔｙｐｅ」６２の設定項目に対応する電話回線側の回線種別が「ＩＳＤＮ回線交換（６４Ｋｂｐｓ）」、「ＩＳＤＮ回線交換（１２８Ｋｂｐｓ）」、「デジタル専用線（６４Ｋｂｐｓ）」「デジタル専用線（１２８Ｋｂｐｓ）」、「フレームリレー（６４Ｋｂｐｓ）」、「フレームリレー（１２８Ｋｂｐｓ）」、「ＯＣＮ（６４Ｋｂｐｓ）」、及び「ＯＣＮ  （１２８Ｋｂｐｓ）」のいずれかに選択設定される。なお、この回線種別の設定に伴い、回線速度が設定されるので、図７に示すＩＳＤＮ用の「Ｓｐｅｅｄ（Ｋｂｐｓ）」７１又はＨＳＤ用の「Ｓｐｅｅｄ（Ｋｂｐｓ）」７２等の対応する設定項目が設定されることになる。
【００４２】
また、リモートアクセスルータ２Ａ、２Ｂの操作パネル２９の操作による通信条件の設定で、前述したステップＳ１４（図１２）で動作モード選択画面が表示されているときに、同様に、下方向カーソルキー４３ｄを押す毎に、図６に示す「Ｅｑｕｉｐｍｅｎｔ」６１の設定項目に対応する動作モード種別となる「ＩＰルータ」、「ブリッジ」、及び「ＩＰルータ＆ブリッジ」を表示させ、これらをいずれに選択設定することができる。
【００４３】
図１５は、リモートアクセスルータ２Ａ、２Ｂの操作パネル２９の操作による通信条件の設定で、ＬＡＮ側ＩＰアドレスの入力方法とそのときのＬＣＤ４１の表示例を示すフローチャート図である。この例では、ＬＡＮ側ＩＰアドレスを  「１９２．０００．００３．０４９」に設定する例を示している。
【００４４】
まず、前述したステップＳ１６（図１２）でＬＡＮ側ＩＰアドレスの入力初期画面としてＬＣＤ４１に「１９２．０００．００３．２００」が表示され、カーソルが先頭の「１」に表示されているとする。ここで、ＬＡＮ側ＩＰアドレスを「１９２．０００．００３．０４９」に変更するには、右方向カーソルキー４３ｃを９回押下すると（ステップＳ５１）、カーソルが１０桁目の「２」に移動し（ステップＳ５２）、下方向カーソルキー４３ｄを８回押下すると（ステップＳ５３）、１０桁目の数値が「２」から「０」になる（ステップＳ５４）。
【００４５】
次いで、右方向カーソルキー４３ｃを１回押下すると（ステップＳ５５）、カーソルが１１桁目の「０」に移動する（ステップＳ５６）。そして、下方向カーソルキー４３ｄを４回押下すると（ステップＳ５７）、１１桁目の数値が「０」から「４」になる（ステップＳ５８）。
【００４６】
次いで、右方向カーソルキー４３ｃを１回押下すると（ステップＳ５９）、カーソルが１２桁目の「０」に移動する（ステップＳ６０）。そして、下方向カーソルキー４３ｄを９回押下すると（ステップＳ６１）、１２桁目の数値が「０」から「９」になる（ステップＳ６２）。
【００４７】
これで全桁の入力が終了し、図６に示す「ＬＡＮ  ＩＰ  Ａｄｄｒｅｓｓ」６３の設定項目に対応するＬＡＮ側ＩＰアドレスは「１９２．０００．００３．０４９」に設定されたので、ＳＥＴキー４３ｅを押下すると（ステップＳ６３）、次の通信条件の設定項目であるＬＡＮ側ＩＰマスク入力画面（ステップＳ１８）がＬＣＤ４１に表示される。
【００４８】
また、前述したステップＳ１８（図１２）でのＬＡＮ側ＩＰマスクの入力初期画面、ステップＳ２０（図１２）でのＷＡＮ側ＩＰマスクの入力初期画面、及びステップＳ２２（図１２）でのＷＡＮ側ＩＰマスクの入力初期画面のときに、ＬＡＮ側ＩＰアドレス設定と同様の操作をすることで、これらを設定可能に構成している。従って、操作パネル２９を操作することで、図６に示す「ＬＡＮ  Ｓｕｂｎｅｔ  Ｍａｓｋ」６４、「ＷＡＮ  ＩＰ  Ａｄｄｅｒｓｓ」６５、及び「ＷＡＮ  Ｓｕｂｎｅｔ  Ｍａｓｋ」６６の設定項目を自由に設定することができる。
【００４９】
図１６は、リモートアクセスルータ２Ａ、２Ｂの操作パネル２９の操作による通信条件の設定で、宛先電話番号の入力方法とそのときのＬＣＤ４１の表示例を示すフローチャート図である。
【００５０】
まず、前述したステップＳ２４（図１３）で宛先電話番号入力画面において、電話番号が未設定のときには、ＬＣＤ４１にカーソル「＿」のみが表示されている。ここで、下方向カーソルキー４３ｄを１０回押下すると（ステップＳ１２１）、そのカーソル位置の数値が「０」になる（ステップＳ１２２）。
【００５１】
次いで、右方向カーソルキー４３ｃを１回押下すると（ステップＳ１２３）、カーソルが右に一つ移動し、ＬＣＤ４１に「０＿」と表示され、２桁目の数値を入力する状態になる（ステップＳ１２４）。そして、下方向カーソルキー４３ｄを２回押下すると（ステップＳ１２５）、２桁目の数値が「２」になる（ステップＳ１２６）。
【００５２】
次いで、右方向カーソルキー４３ｃを１回押下すると（ステップＳ１２７）、カーソルが右に一つ移動し、ＬＣＤ４１に「０２＿」と表示され、３桁目の数値を入力する状態になる（ステップＳ１２８）。そして、下方向カーソルキー４３ｄを４回押下すると（ステップＳ１２９）、３桁目の数値が「４」になり（ステップＳ１３０）、更に、右方向カーソルキー４３ｃを１回押下すると（ステップＳ１３１）、カーソルが右に一つ移動し、４桁目の数値を入力する状態になる。
【００５３】
以下、同様にして、電話番号全桁の入力が終了すると（ステップＳ１３２）、図９に示す「ＴＥＬ」９１の設定項目に対応する宛先電話番号は設定されたので、ＳＥＴキー４３ｅを押下すると（ステップＳ１３３）、次の通信条件の設定項目であるサブアドレス入力画面（ステップＳ２６）がＬＣＤ４１に表示される。
【００５４】
また、前述したステップＳ２６（図１３）でのサブアドレス入力画面のときに、宛先電話番号設定と同様の操作をすることで、これを設定可能に構成している。従って、操作パネル２９を操作することで、図９に示す「Ｓｕｂ  Ａｄｄｒｅｓｓ」９２の設定項目も自由に設定することができる。
【００５５】
以上、リモートアクセスルータ２Ａ、２Ｂの操作パネル２９の操作による通信条件の設定の方法を説明したが、このようにして設定した各設定項目の内容は、ダムターミナル５で設定した場合と同様に、図２に示す通信条件記憶部２８の各設定項目に対応する領域に記憶される。そして、操作パネル２９から設定された通信条件と、デフォルト値として予め通信条件記憶部２８に設定記憶されている通信条件とが結合し、リモートアクセスルータ２Ａ、２Ｂの動作に必要な通信条件が設定される。なお、デフォルト値として予め通信条件記憶部２８に設定記憶されている通信条件は、ＷＡＮ側と全てのパケット送受信する単純なルーティングであり、また、フィルタリング条件を無しとしているため、高度な専門知識を有することなく、リモートアクセスルータ２Ａ、２Ｂを設置し、これを動作させることができる。
【００５６】
また、本発明においては、リモートアクセスルータ２Ａ、２Ｂを動作させるために必要な通信条件をダムターミナル５と操作パネル２９との両方で設定できるものであるが、この設定をダムターミナル５と操作パネル２９とのどちらで行なったかを示す情報（設定手段情報）を記憶するように、通信条件記憶部２８にその記憶領域を設けている。
【００５７】
そして、ダムターミナル５から通信条件を設定した場合には、その後、操作パネル２９から通信条件を設定できないようにロックする構成としている。即ち、ダムターミナル５から高度な通信条件を設定した後は、その通信条件を操作パネル２９で書き替えられないようにし、ＬＡＮ又はＷＡＮ通信の安全性を高めるように構成している。
【００５８】
図１７は、リモートアクセスルータ２Ａ、２Ｂの操作パネル２９の操作によるメンテナンス項目の選択方法とそのときのＬＣＤ４１の表示例を示すフローチャート図である。まず、前述したステップＳ５（図１１）でＬＣＤ４１に保守画面表示がされているときに、ＳＥＴキー４３ｅを押下すると（ステップＳ７１）、メンテナンス項目選択画面の初期画面がＬＣＤ４１に表示され、一番目のメンテナンス項目がＬＣＤ４１の画面下段に表示される（ステップＳ７２）。
【００５９】
次に、下方向カーソルキー４３ｄを押下すると（ステップＳ７３）、二番目のメンテナンス項目がＬＣＤ４１の画面下段に表示される（ステップＳ７４）。以下、同様にして下方向カーソルキー４３ｄを押下する毎に（ステップＳ７５）、ＬＣＤ４１のメンテナンス項目の表示が切り替わり、最終のメンテナンス項目がＬＣＤ４１に表示された状態で（ステップＳ７６）、下方向カーソルキー４３ｄを押下すると（ステップＳ７７）、保守画面表示に戻る（ステップＳ５）。
【００６０】
図１８〜図１９は、リモートアクセスルータ２Ａ、２Ｂの操作パネル２９の操作によるメンテナンス項目の疎通確認を起動する場合の操作方法とそのときのＬＣＤ４１の表示例を示す図である。ここでは、ＩＰアドレス「１７６．０００．００５．０１０」への疎通確認を起動する場合を示している。
【００６１】
まず、ＬＣＤ４１に疎通確認選択画面が表示されている状態で（ステップＳ８１）、ＳＥＴキー４３ｅを押下すると（ステップＳ８２）、疎通確認相手ＩＰアドレス入力画面がＬＣＤ４１に表示され、ＬＣＤ４１の画面の下段に初期値「０００．０００．０００．０００」のＩＰアドレスが表示され、その１桁目にカーソルが表示される（ステップＳ８３）。
【００６２】
ここで、下方向カーソルキー４３ｄを１回押下すると（ステップＳ８４）、１桁目の数値が「０」から「１」に変化する（ステップＳ８５）。次いで、右方向カーソルキー４３ｃを１回押下すると（ステップＳ８６）、カーソルが２桁目に移動する（ステップＳ８７）。
【００６３】
ここで、下方向カーソルキー４３ｄを７回押下すると（ステップＳ８８）、２桁目の数値が「０」から「７」に変化する（ステップＳ８９）。以下、同様にして右方向カーソルキー４３ｃの押下でカーソルを移動し、下方向カーソルキー４３ｄの押下で数値を選択し、相手ＩＰアドレスを入力する（ステップＳ９０〜Ｓ１０１）。
【００６４】
相手ＩＰアドレスの入力が完了した状態でＳＥＴキー４３ｅを押下すると（ステップＳ１０２）、疎通確認を開始し、いわゆるＰＩＮＧが相手ＩＰアドレスの宛先に所定間隔で送信し、相手からの応答を監視する。そうすると、リモートアクセスルータ２Ａ、２Ｂは、疎通確認実行中の表示をＬＣＤ４１に表示する（ステップＳ１０３）。このとき、疎通確認（ＰＩＮＧパケットの送信）は一定時間で無限回数実行され、ＬＣＤ４１の画面下段に疎通確認の正常回数（ＰＩＮＧパケットを送信してから所定時間内に相手から応答があった回数）と異常回数（ＰＩＮＧパケットを送信してから所定時間内に相手から応答がなかった回数）を表示する。疎通確認を終了したい場合はＭＯＤＥキー４３ｅを押下すると（ステップＳ１０４）、ＬＣＤ４１の画面に再び疎通確認選択画面が表示される（ステップＳ８１）。
【００６５】
このように、リモートアクセスルータ２Ａ、２ＢがＰＩＮＧパケットを送信することで、図２１に示すように、回線の切り分け試験を正確に行なうことができる。即ち、従来は、図２１において、テスト内容がＰＩＮＧ（１）又はＰＩＮＧ（２）のように、ＬＡＮ端末からＰＩＮＧコマンドを入力することで、疎通確認を行なうのみであり、ＰＩＮＧ（３）のように、リモートアクセスルータからＰＩＮＧを送信することができなかった。従って、ＬＡＮ通信が正常に行なわれないときに、実施するＰＩＮＧパケットによる疎通確認で、明確に行なうことができない。本発明は、操作パネル２９を操作することにより、リモートアクセスルータ自身からＰＩＮＧパケットを送信することができるため、これに自己診断機能を組み合わせることにより、回線の切り分け試験を正確に行なうことができるようになる。
【００６６】
また、疎通確認（ＰＩＮＧパケットの送信）を操作パネル２９の操作でできるため、ダムターミナルを接続することなく、リモートアクセスルータ２Ａ、２Ｂの設置（ＬＡＮ工事）を、短時間で、容易に行なえるようになる。
【００６７】
図２０は、パネル操作によるメンテナンス項目の障害情報参照方法とそのときのＬＣＤ４１の表示例を示す図である。前述したステップＳ７４（図１７）で障害情報参照選択画面がＬＣＤ４１に表示された状態で、ＳＥＴキー４３ｅを押下すると（ステップＳ１１１）、採取された最新の障害情報コードが採取された時間とともにＬＣＤ４１に表示される（ステップＳ１１２）。
【００６８】
ここで、下方向カーソルキー４３ｄを１回押下すると（ステップＳ１１３）、２件目の障害情報コードが採取された時間とともにＬＣＤ４１に表示される（ステップＳ１１４）。以下、同様にして下方向カーソルキー４３ｄを押下する度に採取された障害情報の新しいものから順に最大２５６件までＬＣＤ４１に採取された時間と共に表示される（ステップＳ１１５〜Ｓ１１７）。
【００６９】
採取された最古の障害情報が表示された状態で（ステップＳ１１８）、下方向カーソルキー４３ｄを押下すると（ステップＳ１１９）、再び障害情報参照選択画面がＬＣＤ４１に表示される（ステップＳ７４）。
【００７０】
なお、本実施の形態では、リモートアクセスルータ２Ａ、２Ｂを同一の装置として説明したが、リモートアクセスルータ２Ａ及びリモートアクセスルータ２Ｂのいずれか一方が他種類の装置であっても、通信条件（プロトコル等）が合っていれば、何ら支障なくＬＡＮ通信を行うことができる。
【００７１】
【発明の効果】
本発明によれば、リモートアクセスルータに操作キーおよび表示器を装備することにより、リモートアクセスルータの設置時に、リモートアクセスルータを動作させるために必要な最低限の通信条件の設定および疎通確認の起動、障害情報の確認などをダムターミナルなしで実行することができるようになり、また、高度な専門知識を有していない使用者でも容易にリモートアクセスルータを設置することができる。
【図面の簡単な説明】
【図１】本発明によるリモートアクセスルータを用いたＬＡＮシステムのブロック構成図である。
【図２】本発明によるリモートアクセスルータのブロック構成図である。
【図３】本発明によるリモートアクセスルータのパネル制御部と操作パネルとの関係を示す機能ブロック図である。
【図４】本発明によるリモートアクセスルータの操作パネルを示す表面図である。
【図５】本発明によるリモートアクセスルータの通信条件設定内容を示す図である。
【図６】通信条件設定内容の内のシステム情報設定内容を示す図である。
【図７】通信条件設定内容の内のＩＳＤＮ情報設定内容を示す図である。
【図８】通信条件設定内容の内のＰＰＰ情報設定内容を示す図である。
【図９】通信条件設定内容の内のＩＰルーティング情報設定内容を示す図である。
【図１０】通信条件設定内容の内のＩＰフィルタリング情報設定内容を示す図である。
【図１１】本発明によるリモートアクセスルータのパネル操作モードの切り替え方法およびその際のＬＣＤの表示例を示すフローチャート図である。
【図１２】本発明によるリモートアクセスルータのパネル操作による通信条件の設定項目の切り替え方法とそのときのＬＣＤの表示例を示すフローチャート図（１／２）である。
【図１３】本発明によるリモートアクセスルータのパネル操作による通信条件の設定項目の切り替え方法とそのときのＬＣＤの表示例を示すフローチャート図（２／２）である。
【図１４】本発明によるリモートアクセスルータのパネル操作による通信条件の設定において、回線種別の選択方法とそのときのＬＣＤの表示例を示すフローチャート図である。
【図１５】本発明によるリモートアクセスルータのパネル操作による通信条件の設定で、ＬＡＮ側ＩＰアドレスの入力方法とそのときのＬＣＤの表示例を示すフローチャート図である。
【図１６】本発明によるリモートアクセスルータのパネル操作による通信条件の設定で、通信回線側の宛先電話番号の入力方法とそのときのＬＣＤの表示例を示すフローチャート図である。
【図１７】本発明によるリモートアクセスルータのパネル操作によるメンテナンス項目の選択方法とそのときのＬＣＤの表示例を示すフローチャート図である。
【図１８】本発明によるリモートアクセスルータのパネル操作によるメンテナンス項目の疎通確認を起動する場合の操作方法とそのときのＬＣＤの表示例を示すフローチャート図（１／２）である。
【図１９】図１０の続きで疎通確認を起動する場合の操作方法とそのときのＬＣＤの表示例を示すフローチャート図（２／２）である。
【図２０】パネル操作によるリモートアクセスルータのメンテナンス項目の障害情報参照方法とそのときのＬＣＤの表示例を示すフローチャート図である。
【図２１】本発明によるリモートアクセスルータのパネル操作によるメンテナンス項目の疎通確認における動作状態を説明する図である。
【符号の説明】
１  通信ネットワーク
２  リモートアクセスルータ
３  ＬＡＮ
４  ＬＡＮ端末
５  ダムターミナル
２１  ＬＡＮ制御部
２２  主制御部
２３  プログラムメモリ
２４  ワークメモリ
２５  ダムターミナル制御部
２６  回線制御部
２７  パネル制御部
２９  操作パネル
３０  バス
３１  バスインターフェイス
３２  ＬＣＤコントローラ
３３  ＬＥＤドライバ
３４  キー割り込み回路
４１  ＬＣＤ
４２  ＬＥＤ
４３  キー
【図１】
0003693475.tif 000002
【図２】
0003693475.tif 000003
【図３】
0003693475.tif 000004
【図４】
0003693475.tif 000005
【図５】
0003693475.tif 000006
【図６】
0003693475.tif 000007
【図７】
0003693475.tif 000008
【図８】
0003693475.tif 000009
【図９】
0003693475.tif 000010
【図１０】
0003693475.tif 000011
【図１１】
0003693475.tif 000012
【図１２】
0003693475.tif 000013
【図１３】
0003693475.tif 000014
【図１４】
0003693475.tif 000015
【図１５】
0003693475.tif 000016
【図１６】
0003693475.tif 000017
【図１７】
0003693475.tif 000018
【図１８】
0003693475.tif 000019
【図１９】
0003693475.tif 000020
【図２０】
0003693475.tif 000021
【図２１】
0003693475.tif 000022